【手続補正書】
【提出日】平成30年11月2日(2018.11.2)
【手続補正１】
【補正対象書類名】特許請求の範囲
【補正対象項目名】全文
【補正方法】変更
【補正の内容】
【特許請求の範囲】
【請求項１】
遊技機に対応して設けられる遊技用装置であって、
遊技者が貯留する遊技媒体数を示す貯玉情報を記憶する記憶手段と、
前記記憶手段に記憶された前記貯玉情報に基づき、遊技媒体の払出制御を実行可能な遊技媒体払出手段と、
前記遊技媒体払出手段において払出制御が実行可能な遊技媒体数の上限値を設定可能な上限設定手段と、
前記遊技媒体払出手段により、前記貯玉情報に基づき払出制御が実行された遊技媒体数を計数し、計数した遊技媒体数が前記上限値に達したか否かを判定する上限判定手段と、
前記記憶手段に記憶された前記貯玉情報を表示する表示手段と、
前記表示手段の制御を実行可能な制御手段と、を備え、
前記記憶手段は、前記貯玉情報として、前日以前に計数された遊技媒体数を示す第１貯玉情報と、当日に計数された遊技媒体数を示す第２貯玉情報と、を記憶し、
前記制御手段は、前記記憶手段に記憶された、前記第１貯玉情報が示す遊技媒体数と前記第２貯玉情報が示す遊技媒体数とを合算した遊技媒体数を示す前記貯玉情報を、前記表示手段に表示する制御を実行し、
前記上限判定手段は、前記遊技媒体払出手段により、前記第１貯玉情報に基づき払出制御が実行された遊技媒体数を計数し、前記第２貯玉情報に基づき払出制御が実行された遊技媒体数を計数しないことを特徴とする遊技用装置。
【請求項２】
前記遊技媒体払出手段は、前記記憶手段に、前記第１貯玉情報と前記第２貯玉情報が記憶されている場合、前記前記第２貯玉情報に基づく払出制御を優先させて実行することを特徴とする請求項１に記載の遊技用装置。
【請求項３】
単位遊技媒体あたりの価値が異なるレートを設定可能なレート設定手段と、
遊技者による操作を受付可能な操作受付手段と、を備え、
前記記憶手段は、前記レート設定手段により設定可能なレート毎に、前記第１貯玉情報及び前記第２貯玉情報を記憶し、
前記遊技媒体払出手段は、前記記憶手段に記憶された前記貯玉情報の前記レートである乗入元レートと、前記操作受付手段で遊技者による操作を受け付けている前記遊技用装置において設定された前記レートである乗入先レートと、が異なる場合には、前記乗入元レートの前記第１貯玉情報又は前記第２貯玉情報が示す遊技媒体数が前記乗入先レートでの遊技媒体数に換算され、遊技媒体の払出制御を実行可能であり、
前記上限判定手段は、前記遊技媒体払出手段により、前記第１貯玉情報が示す遊技媒体数が前記乗入先レートでの遊技媒体数に換算され払出制御が実行された遊技媒体数を計数し、前記第２貯玉情報が示す遊技媒体数が前記乗入先レートでの遊技媒体数に換算され払出制御が実行された遊技媒体数を計数しないことを特徴とする請求項１又は２に記載の遊技用装置。
【請求項４】
遊技機に対応して設けられる遊技用装置及びサーバからなる遊技システムであって、
遊技者が貯留する遊技媒体数を示す貯玉情報を記憶する記憶手段と、
前記記憶手段に記憶された前記貯玉情報に基づき、遊技媒体の払出制御を実行可能な遊技媒体払出手段と、
前記遊技媒体払出手段において払出制御が実行可能な遊技媒体数の上限値を設定可能な上限設定手段と、
前記遊技媒体払出手段により、前記貯玉情報に基づき払出制御が実行された遊技媒体数を計数し、計数した遊技媒体数が前記上限値に達したか否かを判定する上限判定手段と、
前記記憶手段に記憶された前記貯玉情報を表示する表示手段と、
前記表示手段の制御を実行可能な制御手段と、を備え、
前記記憶手段は、前記貯玉情報として、前日以前に計数された遊技媒体数を示す第１貯玉情報と、当日に計数された遊技媒体数を示す第２貯玉情報と、を記憶し、
前記制御手段は、前記記憶手段に記憶された、前記第１貯玉情報が示す遊技媒体数と前記第２貯玉情報が示す遊技媒体数とを合算した遊技媒体数を示す前記貯玉情報を、前記表示手段に表示する制御を実行し、
前記上限判定手段は、前記遊技媒体払出手段により、前記第１貯玉情報に基づき払出制御が実行された遊技媒体数を計数し、前記第２貯玉情報に基づき払出制御が実行された遊技媒体数を計数せず、
単位遊技媒体あたりの価値が異なるレートを設定可能なレート設定手段と、
遊技者による操作を受付可能な操作受付手段と、を更に備え、
前記記憶手段は、前記レート設定手段により設定可能なレート毎に、前記第１貯玉情報及び前記第２貯玉情報を記憶し、
前記遊技媒体払出手段は、前記記憶手段に記憶された前記貯玉情報の前記レートである乗入元レートと、前記操作受付手段で遊技者による操作を受け付けている前記遊技用装置において設定された前記レートである乗入先レートと、が異なる場合には、前記乗入元レートの前記第１貯玉情報又は前記第２貯玉情報が示す遊技媒体数が前記乗入先レートでの遊技媒体数に換算され、遊技媒体の払出制御を実行可能であり、
前記上限判定手段は、前記遊技媒体払出手段により、前記第１貯玉情報が示す遊技媒体数が前記乗入先レートでの遊技媒体数に換算され払出制御が実行された遊技媒体数を計数し、前記第２貯玉情報が示す遊技媒体数が前記乗入先レートでの遊技媒体数に換算され払出制御が実行された遊技媒体数を計数しないことを特徴とする遊技システム。
【手続補正２】
【補正対象書類名】明細書
【補正対象項目名】発明の名称
【補正方法】変更
【補正の内容】
【発明の名称】遊技用装置及び遊技システム
【手続補正３】
【補正対象書類名】明細書
【補正対象項目名】０００１
【補正方法】変更
【補正の内容】
【０００１】
本発明は、パチンコ機やパチスロ機等の遊技機に対応して設けられる遊技用装置及び遊技システムに関する。
【手続補正４】
【補正対象書類名】明細書
【補正対象項目名】０００８
【補正方法】変更
【補正の内容】
【０００８】
本発明はこのような問題点を解決し、遊技者の利便性を向上可能な遊技用装置及び遊技システムを提供することを目的とする。
【手続補正５】
【補正対象書類名】明細書
【補正対象項目名】００１５
【補正方法】変更
【補正の内容】
【００１５】
また、本発明の遊技用装置は、単位遊技媒体あたりの価値が異なるレートを設定可能なレート設定手段と、遊技者による操作を受付可能な操作受付手段と、を備え、前記記憶手段は、前記レート設定手段により設定可能なレート毎に、前記第１貯玉情報及び前記第２貯玉情報を記憶し、前記遊技媒体払出手段は、前記記憶手段に記憶された前記貯玉情報の前記レートである乗入元レートと、前記操作受付手段で遊技者による操作を受け付けている前記遊技用装置において設定された前記レートである乗入先レートと、が異なる場合には、前記乗入元レートの前記第１貯玉情報又は前記第２貯玉情報が示す遊技媒体数が前記乗入先レートでの遊技媒体数に換算され、遊技媒体の払出制御を実行可能であり、前記上限判定手段は、前記遊技媒体払出手段により、前記第１貯玉情報が示す遊技媒体数が前記乗入先レートでの遊技媒体数に換算され払出制御が実行された遊技媒体数を計数し、前記第２貯玉情報が示す遊技媒体数が前記乗入先レートでの遊技媒体数に換算され払出制御が実行された遊技媒体数を計数しないことを特徴とする。
【手続補正６】
【補正対象書類名】明細書
【補正対象項目名】００１６
【補正方法】変更
【補正の内容】
【００１６】
本発明の遊技用装置によれば、計数した遊技媒体数が上限値に達したか否かを判定する上限判定手段は、遊技媒体払出手段により、第１貯玉情報が示す遊技媒体数が乗入先レートでの遊技媒体数に換算され払出制御が実行された遊技媒体数を計数し、第２貯玉情報が示す遊技媒体数が乗入先レートでの遊技媒体数に換算され払出制御が実行された遊技媒体数を計数しない。
【手続補正７】
【補正対象書類名】明細書
【補正対象項目名】００１７
【補正方法】変更
【補正の内容】
【００１７】
これにより、乗入元レートの遊技用装置における、前日分の貯玉が、乗入先レートでの遊技媒体数に換算されて払い出された分は、貯玉再プレイで払い出された遊技媒体数が上限値に達したか否かを判定するための計数の対象となる。一方、乗入元レートの遊技用装置における、当日分の貯玉が、乗入先レートでの遊技媒体数に換算されて払い出された分は、貯玉再プレイで払い出された遊技媒体数が上限値に達したか否かを判定するための計数の対象とならない。よって、仮に、遊技者が誤って、遊技媒体が計数された計数持玉を、貯玉に振り替えてしまっても、当日であれば、他のレートに乗り入れても、この貯玉が乗入先レートに換算されて払い出された分は貯玉再プレイの制限の対象とならないので、遊技者を救済できる。したがって、遊技者の利便性をより向上可能な遊技用装置を提供できる。なお、本発明は、遊技用装置とサーバからなる遊技システムでも、同様の作用効果を奏する。
【手続補正８】
【補正対象書類名】明細書
【補正対象項目名】００１８
【補正方法】変更
【補正の内容】
【００１８】
本発明によれば、遊技者の利便性を向上可能な遊技用装置及び遊技システムを提供できる。